(57)【要約】【解決手段】上下に連結されている２つのパズルピースＣ，Ｃを上下に抱き合わせ、Ｏリングと固定ピンを用いて２つのパズルピースＣ，Ｃを上下に連結する。２つのパズルピースＤ，Ｄについても同様にして上下に連結する。そして、２組のパズルピースＣ，Ｃ、Ｄ，Ｄ間にそれぞれ形成される環状の溝内に、略鉄亜鈴形のジョイント39の両端を嵌入する。すると、上下に連結されているパズルピースＣ，Ｃと上下に連結されているパズルピースＤ，Ｄとによる立体式のパズルを組み立てることができる。【効果】上下に連結されている１組のパズルピースＣ，Ｃと上下に連結されている他の１組のパズルピースＤ，Ｄとは、ジョイント39で凹凸嵌合により連接されている。したがって、さらに複雑なパズルに組み立てて行くことができる。【選択図】図１７
2008253423.tif 000002
【特許請求の範囲】
【請求項１】
立体的に連結されているパズルピースを凹凸嵌合により順次連接して行くことを特徴とする立体式パズル。
【請求項２】
立体的に連結されているパズルピース自体に凹凸を形成し、この凹凸を利用して凹凸嵌合させることを特徴とする請求項１記載の立体式パズル。
【請求項３】
立体的に連結されているパズルピースを凹凸嵌合により順次連接して行くための連結部材を有し、この連結部材を立体的に連結されているパズルピースに凹凸嵌合させることを特徴とする請求項１記載の立体式パズル。
【請求項４】
立体的に連結されているパズルピースのうちの少なくとも１つを、他のパズルピースに対して平面的に回動させ得るようにしたことを特徴とする請求項１記載の立体式パズル。
【請求項５】
立体的に連結されているパズルピースに、両パズルピース間方向に伸縮させ得るバネ部材を内設したことを特徴とする請求項４記載の立体式パズル。
【請求項６】
連結部材が略鉄亜鈴形のジョイントであることを特徴とする請求項３記載の立体式パズル。
【請求項７】
立体的に連結されているパズルピースに、略鉄亜鈴形のジョイントの膨出部が嵌まり得る環状の溝と、この溝と直交する方向の溝であって、前記略鉄亜鈴形のジョイントの両膨出部間である細径部分が嵌まり得る切込溝とが形成されていることを特徴とする請求項６記載の立体式パズル。
【発明の詳細な説明】
【技術分野】
【０００１】
本発明は、通常の最も一般的なパズルならびにパズルピースを層状に重ね合わせて行く嵌め絵形式のパズルとは異なる新しい形式のパズルに関するものである。
【背景技術】
【０００２】
通常の最も一般的なパズルは、ジグソーパズルに代表されるように、１枚のものが複数枚のパズルピースに分割されており、それらを組み合わせて行く形式のものである。
【０００３】
また、囲い枠内の空間の嵌込部に層状に重ね合わせて嵌め込み得る板状の部材であって、表層には外観を具現し、下層に行くに従って内部を示す絵その他の表示を施し、この表示部分の少なくとも一部をパズルピースに分割し得る複数枚のプレートを有し、前記パズルピースを各層において嵌め合わせるとともに、この複数枚のプレートを層状に重ね合わせて行く嵌め絵形式のパズルも知られている（例えば、特許文献１参照）。
【０００４】
【特許文献１】実開昭５６−１１８６９２号公報
【０００５】
しかしながら、上記のような嵌め絵は前記パズルピースを各層において嵌め合わせるとともに、層状に重ね合わせるだけの遊びしかできない。従って、完成までの組み合わせが比較的単純で、しかも、平面的な組み合わせに近いから、面白さに欠けるという難点があった。
【０００６】
そこで、このような単純なものではなく、層状に重ね合わせて具現化されたひな形に対して層方向と異なる方向から前記ひな形にピースを装着して立体的に組み合わせることができるようにしたものが開発された（例えば、特許文献２参照）。
【０００７】
【特許文献２】登録実用新案第第３１２７０７０号公報
【発明の開示】
【発明が解決しようとする課題】
【０００８】
本発明は、上述の従来形式のパズルとは異なる全く新しい形式のパズルを提供することを目的とするものである。
【課題を解決するための手段】
【０００９】
本発明による立体式パズルは、立体的に連結されているパズルピースを凹凸嵌合により順次連接して行くことを特徴とするものである。このようにすると、立体的に連結されているパズルピースを用いて様々なパズルに組み立てて行く面白さが増す。
【００１０】
立体的に連結されているパズルピース自体に凹凸を形成し、この凹凸を利用して凹凸嵌合させるとよい。この場合には、連結部材その他の部材を用いることなく、極めて簡単な手法で様々なパズルに組み立てて行くことができる。
【００１１】
立体的に連結されているパズルピースを凹凸嵌合により順次連接して行くための連結部材を有し、この連結部材を立体的に連結されているパズルピースに凹凸嵌合させるとよい。この場合には、前記連結部材により立体的に連結されているパズルピースを順次連接して行くことができるので、より複雑なパズルに組み立てて行くことができる。
【００１２】
立体的に連結されているパズルピースのうちの少なくとも１つを、他のパズルピースに対して平面的に回動させ得るようにしておくとよい。立体的に連結されているパズルピースのうちの少なくとも１つを、他のパズルピースに対して平面的に回動させると、立体的に連結されているパズルピースを連接するための凹凸嵌合状態が崩れて凹凸嵌合させることができなくなるので、完成までの組み立てがより一層複雑になり、この難解なパズルの組み立てを楽しむことができる。
【００１３】
立体的に連結されているパズルピースに、両パズルピース間方向に伸縮させ得るバネ部材を内設しておくとよい。このバネ部材が伸びるように立体的に連結されているパズルピースのうちの少なくとも１つを引っ張れば、他のパズルピースに対して平面的に回動させることができるから、立体的に連結されているパズルピースの相互の位置関係を容易に変更でき、様々なパズルに組み立てて行くのに支障を来たさない。
【００１４】
連結部材を略鉄亜鈴形のジョイントとすることができる。この場合には、略鉄亜鈴形のジョイントの膨出部分で立体的に連結されているパズルピースの繋がり角度を変えることができるので、立体的に連結されているパズルピースの連接状態を容易に変更することができ、より一層複雑なパズルに組み立てて行くことができる。
【００１５】
立体的に連結されているパズルピースに、略鉄亜鈴形のジョイントの膨出部が嵌まり得る環状の溝と、この溝と直交する方向の溝であって、前記略鉄亜鈴形のジョイントの両膨出部間である細径部分が嵌まり得る切込溝とが形成されていることが望ましい。立体的に連結されているパズルピースの環状の溝に略鉄亜鈴形のジョイントの膨出部を嵌めることにより、立体的に連結されているパズルピースの連接状態が保たれ、しかも、このジョイントの細径部分が前記切込溝に嵌まるように連接されているパズルピースを動かすと、立体的に連結されているパズルピースを平面的ではなく立体的に連接させることができるので、さらに複雑なパズルに組み立てて行くことができる。
【発明の効果】
【００１６】
請求項１記載の発明によれば、立体的に連結されているパズルピースを用いて様々なパズルに組み立てて行く面白さが増すという効果がある。
【００１７】
請求項２記載の発明によれば、連結部材その他の部材を用いることなく、極めて簡単な手法で様々なパズルに組み立てて行くことができるという効果がある。
【００１８】
請求項３記載の発明によれば、連結部材により立体的に連結されているパズルピースを順次連接して行くことができるので、より複雑なパズルに組み立てて行くことができるという効果がある。
【００１９】
請求項４記載の発明によれば、完成までの組み立てがより一層複雑になり、この難解な組み立てを楽しむことができるという効果がある。
【００２０】
請求項５記載の発明によれば、立体的に連結されているパズルピースの相互の位置関係を容易に変更できるので、様々なパズルに組み立てて行くのに支障を来たさないという効果がある。
【００２１】
請求項６記載の発明によれば、立体的に連結されているパズルピースの連接状態を容易に変更することができるので、より一層複雑なパズルに組み立てて行くことができるという効果がある。
【００２２】
請求項７記載の発明によれば、立体的に連結されているパズルピースを平面的ではなく立体的に連接できるので、さらに複雑なパズルに組み立てて行くことができるという効果がある。
【発明を実施するための最良の形態】
【００２３】
本発明による立体式パズルの一例を、添付の図面に基づいて詳細に説明する。本発明による立体式パズルの特徴とするところは、立体的に連結されているパズルピースを凹凸嵌合により順次連接して行く点にある。すなわち、従来のパズルのように平面的に凹凸嵌合するものではなく、立体的に凹凸嵌合して順次連接される形式のものである。
例えば、図１に示すように、上下に連結されているパズルピース1a，1b、2a，2b、3a，3b、4a，4b、5a，5b、6a，6b、7a，7bで構成される７つのパズルピース１〜７を、凹凸嵌合により順次連接して行く。
【００２４】
隣接する２つのパズルピース１，２を連接するに当っては、上側に位置するパズルピース1a，2aの凹凸部分と、下側に位置するパズルピース1b，2bの凹凸部分の双方を凹凸嵌合させなければ、組み立てることができない。したがって、それだけパズルピースの組み立てが難解になる。残りのパズルピースについても同様であり、上下に連結されている７つのパズルピース１〜７を組み立てて行く面白さが増す。７つのパズルピース１〜７を用いて立体的な１つのパズルに組み立てた状態を、図２に示す。
【００２５】
図３にも、図１、図２に示す場合と同様の立体式パズルを示す。上下に連結されているパズルピースの全てを上下においてそれぞれ凹凸嵌合させている点で共通している。
なお、図３には、上下に連結されているパズルピースのうち上側に位置する１つのパズルピース8aを、下側に位置する１つのパズルピース8b（薄く塗りつぶしたパズルピース）から分離した状態で示す。
【００２６】
図４には、図１〜図３に示す立体式パズルの変形例を示す。図１〜図３に示す立体式パズルが方形状であるのに対し、図４に示す立体式パズルは円形である。このような形にすることで、各パズルピースの組み立てがより難解になる。方形状の場合には、直角である四隅部分のパズルピースを四隅に配置すべきことを予測できるので、組み立ての難解さが多少減るのに対し、円形の場合には、周辺部分に配置すべきかを予測できてもそれを円周部分のどこに位置させるべきかまでは予測しにくいので、それだけ組み立ての難解さが増すからである。
なお、図４には、上下に連結されているパズルピースのうち上側に位置する１つのパズルピース9aを、下側に位置する１つのパズルピース9b（薄く塗りつぶしたパズルピース）から分離した状態で示す。
【００２７】
図５〜図８には、上下に連結されているパズルピースのうちの少なくとも１つを、他のパズルピースに対して平面的に回動させ得るようにした場合を例示する。
例えば、図５(b)に示すように、上下に連結されているパズルピース10のうち上側に位置するパズルピース10aを、下側に位置するパズルピース10bに対して、また、上下に連結されているパズルピース11のうち上側に位置するパズルピース11aを、下側に位置するパズルピース11bに対して、それぞれ平面的に回動させ得るようにしてある。他のパズルピースについても、同様に平面的に回動させ得るようにしてある。このようにするには、例えば軸ピン12を用いて、上側に位置するパズルピース10a，11aと、下側に位置するパズルピース10b，11bとを連結しておけばよい。
図５(b)に示すように、上側に位置するパズルピース10a，11aが平面的に回動していると、両パズルピース10a，11aの凹凸嵌合状態が崩れて両者を凹凸嵌合させることができなくなるので、完成までの組み立てがより一層複雑になり、この難解なパズルの組み立てを楽しむことができる。上側に位置する２つのパズルピース10a，11aを図５(a)に示すように正規の姿に戻すと、はじめて２つのパズルピース10a，11aを凹凸嵌合させることができる。
下側に位置するパズルピース10b，11bについても、上側に位置するパズルピース10a，11aの場合と同様に平面的に回動させれば、完成までの組み立てがさらに複雑になる。
【００２８】
一方、図６には、上下に連結されているパズルピース13〜16がいずれも正方形であって、上側に位置するパズルピース13a〜16aと下側に位置するパズルピース13b〜16bに凹凸を形成してそれらを凹凸嵌合させ得るようにした場合を例示する。この場合には、各パズルピース13〜16の縦横の大きさが同じであるから、凹凸嵌合させる位置がそれだけ難しくなり、完成までの組み立てがより一層複雑になる。
【００２９】
図１〜図６では、上下に連結されているパズルピースがいずれも同じ厚さである場合が例示されている。すなわち、上側に位置するパズルピースと下側に位置するパズルピースの厚さが全て同じである。
これに対して、図７には、上下に連結されているパズルピースの一部が他の部分の半分の厚さになっていて連接すべきパズルピースの半分の厚さの部分の上に凹凸嵌合により重なり合う形式の立体式パズルを例示する。例えば、上下に連結されているパズルピース17aのうちの半分の厚さの部分17a’と、上下に連結されているパズルピース17bのうちの半分の厚さの部分17b’とを重ね合わせることができるとともに、相手側の厚い部分との間で凹凸嵌合させることができるようになっている。17cと17dのパズルピースについても同様である。
そして、これらのパズルピース17a〜17dが凹凸嵌合により縦方向に連接せしめられるとともに、隣り合うパズルピース17e、17fに凹凸嵌合により横方向にも連接せしめられる。
上下に連結されているパズルピースの一部と他の部分の厚さは自由に変えることができる。
なお、上下に連結されているパズルピース17a〜17fの厚い部分を上下に分離し、図５、図６に示すように、それぞれに対して平面的に回動させ得るようにしておいてもよい。
【００３０】
一方、図１〜図７では、上下に連結されているパズルピースが上下２層からなる場合を例示したが、パズルピースを２層以上連結してもよい。例えば、図８において18a〜18d、19a〜19dで示すように、上下４層となるように重ね合わせてそれぞれを連結することができる。そして、隣り合っているパズルピース18，19が前記各層18a〜18d、19a〜19dごとの凹凸嵌合により連接されるようにする。
上述したように、上下４層のパズルピース18a〜18d、19a〜19dを平面的に回動させ得るようにしておけば、完成までの組み立てがさらに複雑になり、さらに、各パズルピース18a〜18d、19a〜19dの縦横の大きさを同じとしておけば、完成までの組み立てがより一層複雑になる。
【００３１】
図５、図６、図８では、上側に位置するパズルピースと下側に位置するパズルピースとを軸ピン12を用いて連結した場合を例示するが、軸ピン以外のものを用いて連結することもできる。
例えば、図９(a)〜(d)に示すように、十字状の嵌込孔20aを有する上下２枚の押え片20，20と、十字状の前記嵌込孔20aの一方に差し込み得る差込片21と、この差込片21の半分の大きさであってその上下方向から差込片21に差し込み得る半分の大きさの半割り状の２つの差込片22，22と、半割り状の前記２つの差込片22，22にその上下方向から差し込み得る固定用の２本のピン23，23からなるジョイントを用いて連結することができる。そして、このジョイントを用いる場合には、上下に連結すべきパズルピースＡ，Ａには、孔Ａ’が開けられている。
【００３２】
このジョイントを用いて上下３枚のパズルピースＡ，Ａを連結する手順を説明する。
図９(e)に示すように、上下３枚のパズルピースＡ，Ａの孔Ａ’，Ａ’の上と下とに２枚の押え片20，20を重ね合わせ、同図斜線で示すように、十字状の嵌込孔20aの一方に差込片21を差し込む。そして、図９(f)に示すように、十字状の嵌込孔20aの一方に差し込まれた差込片21に対して、その上下から半割り状の２つの差込片22，22を差し込み、最後に半割り状の２つの差込片22，22に上下から２本のピン23，23を差し込む。
かくして、図９(g)に示すように、上下３枚のパズルピースＡ，Ａが上下に連結せしめられる。
【００３３】
図１０(a)〜(d)には、さらに多数のパズルピースを上下に連結する場合に用いるジョイントの延長パーツを示す。これらのパーツ24〜27と前記押え片20，20、前記差込片21、前記差込片22，22、前記ピン23，23とを組み合わせてさらに多数のパズルピースを上下に連結することができる。
【００３４】
図１１〜図１４には、上下に連結されているパズルピースＢ，Ｂを、相手側のパズルピースに対して平面的に回動させ得るようにするためのジョイントの別の機構を示す。このうち、図１１には、上下に連結されているパズルピースＢ，Ｂを単に平面的に回動させ得るようにするためのジョイントの機構と、このジョイントを埋め込むことによってパズルピースＢ，Ｂを上下に連結した場合の一例を示す。
このジョイントは図１１(a)に示すリング状の固定ホルダ28と、図面１１(b)に示す摺動リング29と、図１１(c)に示す結合リング30とで構成される。そして、上下に連結すべき２つのパズルピースＢ，Ｂの接合面側に、リング状の２つの固定ホルダ28，28を抱き合わせるごとく埋め込んで固定し、この固定ホルダ28，28の内側に摺動リング29，29を抱き合わせるごとく係合させるとともに、両摺動リング29，29を結合リング30，30で結合すれば、上下に連結されているパズルピースＢ，Ｂを相手側のパズルピースに対して平面的に回動させることができる。
なお、図１１(d)は２つのパズルピースＢ，Ｂを上下に連結する場合の、図１１(e)は３つのパズルピースＢ，Ｂを上下に連結する場合の、図１１(f)は４つのパズルピースＢ，Ｂを上下に連結する場合の、各ジョイントの組み込み方を示している。
【００３５】
一方、図１２、図１３には、図１１に示すジョイントとは異なる別のジョイントの一例を示す。ここに示すジョイントは、図１２(a)に示すリング状の固定ホルダ31と、図１２(b)に示す摺動リング32と、図１２(c)に示す伸縮バネ33とで構成されている。例えば、上下に連結すべきパズルピースが３つの場合を例に挙げると、上下２つのパズルピースＢ，Ｂの各接合面と中段のパズルピースＢの２つの接合面に、リング状の固定ホルダ31をそれぞれ抱き合わせるごとく埋め込んで固定し、各固定ホルダ31，31の内側に摺動リング32，32を抱き合わせるごとく係合させるとともに、各摺動リング32，32内に１つの伸縮バネ33を組み込めば、例えば、上下に連結されているパズルピースＢ，Ｂのうち最も上側に位置する１つのパズルピースＢを、図１２(e)に示すように、他の２つのパズルピースＢ，Ｂから持ち上げた状態で平面的に回動させることができ、しかる後、伸縮バネ33の引張力によりそれを元の位置に戻し（図１２(d)参照）、再び重ね合わせることができる。
【００３６】
このようなことができると、上下に連結されているパズルピースＢ，Ｂを凹凸嵌合により順次連接して行くに当って、上下に連結されているパズルピースＢ，Ｂを回動させることができないという事態を回避することができる。すなわち、上下に連結されているパズルピースＢ，Ｂを接合したままで回動させることができない場合においては、例えば、上下に連結されているパズルピースＢ，Ｂのうち最も上側に位置するパズルピースＢを、図１２(e)に示すように、他の２つのパズルピースＢ，Ｂから持ち上げれば、それを平面的に回動させることができ、しかる後、伸縮バネ33の引張力によりそれを元の位置に戻せば、様々なパズルに組み立てて行くのに支障を来たさないので、上下に連結されている３つのパズルピースＢ，Ｂの凹凸嵌合による連接が可能になる。
なお、図１２(d)、図１２(e)は３つのパズルピースＢ，Ｂを上下に連結する場合の、図１３(a)は２つのパズルピースＢ，Ｂを上下に連結する場合の、図１３(b)は４つのパズルピースＢ，Ｂを上下に連結する場合の、各ジョイントの組み込み方を示している。
【００３７】
また、図１４には、図１２(a)〜(c)に示す固定ホルダ31、摺動リング32、伸縮バネ33以外に、図１４(d)に示すバネ保持部材34と、図１４(e)に示すコイル状の引張バネ35と、図１４(f)に示す２つの係止ピン36，36とからなるさらに別のジョイントの一例を示す。
この場合において、例えば、上下に連結すべきパズルピースが３つの場合を例に挙げると、上下２つのパズルピースＢ，Ｂの各接合面にバネ保持部材34，34を埋め込んで固定するとともに、中段のパズルピースの接合面にリング状の固定ホルダ31をそれぞれ抱き合わせるごとく埋め込んで固定し、各バネ保持部材34，34と固定ホルダ31，31の内側に摺動リング32，32を抱き合わせるごとく係合させるとともに、各摺動リング32，32内に１つの伸縮バネ33と引張バネ35を組み込み、引張バネ35の上下両端を２本の係止ピン36，36で係止すれば、例えば、上下に連結されているパズルピースＢ，Ｂのうち最も上側に位置する１つのパズルピースＢを、図１４(h)に示すように、他の２つのパズルピースＢ，Ｂから持ち上げた状態で平面的に回動させることができ、しかる後、伸縮バネ33と引張バネ35の引張力によりそれを元の位置に戻し（図１４(g)参照）、再び重ね合わせることができる。したがって、様々なパズルに組み立てて行くのに支障を来たさず、上下に連結されている３つのパズルピースＢ，Ｂの凹凸嵌合による連接が可能になる。
なお、係止ピン36は上下２つのパズルピースＢ，Ｂの各接合面に埋め込んで固定されている上下２つのバネ保持部材34，34の中央部分に形成されている溝34a，34にそれぞれ嵌め込まれ、引張バネ35の上下両端を係止する。
【００３８】
ここまで例示して来た立体式パズルは、左右方向と上下方向の凹凸嵌合により上下に連結されているパズルピースを順次連接して行く形態のものである。これに対して、以下に例示する立体式パズルは今までに例示したものをさらに発展させた極めて画期的な立体式パズルである。
【００３９】
図１５には、上下に連結されているパズルピースＣ，Ｃと、上下に連結されているパズルピースＣ，Ｃを凹凸嵌合により順次連接して行くためのジョイントと、それらの付属部品とからなる立体式パズルの一例を示す。
上下に連結すべきパズルピースの一例を図１５(e)に、上下に連結すべきパズルピースのうちの一方の内面にダボ37が形成されている状態を、図１５(g)に示す。このパズルピースＣを上下に接合した状態を、図１５(f)に示す。また、上下に接合したパズルピースＣ，Ｃを結合して固定するためのＯリングと固定ピンを、図１５(c)と図１５(d)に示す。  さらに、上下に連結されているパズルピースＣ，Ｃを凹凸嵌合により順次連接して行くためのジョイントを、図１５(a)、図１５(b)に示す。通常のジョイントは図１５(a)に示すように略鉄亜鈴形で、その変形例を図面１５(b)に示す。
【００４０】
２つのパズルピースＣ，Ｃを図１５(f)に示すように上下に抱き合わせ、その際に形成される環状の溝38内にジョイント39の一端を嵌入するとともに、中心軸芯上に形成されている孔内に上下方向にＯリング40を挿入し、その上下両端を図１５(h)に示すように２本の固定ピン41，41で係止すれば、上下に接合したパズルピースＣ，Ｃを上下に連結することができる。
なお、固定ピン40は上下２つのパズルピースＣ，Ｃの中央部分に形成されている溝42，42にそれぞれ嵌め込まれ、Ｏリング39の上下両端を係止する。
【００４１】
上下に連結されているパズルピースＣ，Ｃの周縁部には、図１５(e)、図１５(g)に示すように、中心方向に向かう切欠43，43が形成され、この切欠43，43部分では前記環状の溝38と連なることになるので、環状の溝38内に一端を嵌入したジョイント39を図１５(i)に示すように水平状から垂直状に起こしたり倒したりすることができる。
したがって、上下に連結されているパズルピースＣ，Ｃの２組を、図１５(j)に示すように上下方向に、あるいは、図１５(k)に示すように左右方向に連接することができる。
なお、図１５(l)に示すように、上下に連結されているパズルピースＣ，Ｃの一方を、相手側に対して回転させると、前記ダボ37が相手側の溝から外れるので、その状態でジョイントの組み付けと取り外しを行うことができる。
【００４２】
また、図１６(a)、(b)に示すパズルピースＤ，Ｄを図１６(c)に示すように上下に抱き合わせ、図１５(c)と図１５(d)に示すＯリング40と固定ピン41を用いれば、図１６(d)に示すように上下に接合したパズルピースＤ，Ｄを上下に連結することができる。そして、その場合に形成される環状の溝44内に、上下に連結されているパズルピースＣ，Ｃの前記ジョイント39の他端を嵌入すれば、図１７に示すように、上下に連結されているパズルピースＣ，Ｃと上下に連結されているパズルピースＤ，Ｄとによる立体式のパズルを組み立てることができる。
【００４３】
この場合において、上下に連結されている１組のパズルピースＣ，Ｃと上下に連結されている１組のパズルピースＤ，Ｄとは、ジョイント39で凹凸嵌合により連接されているから、上下に連結されている１組のパズルピースＣ，Ｃに対して上下に連結されている１組のパズルピースＤ，Ｄを、図１８(a)の実線で示すように、あるいは、図１８(a)の鎖線で示すように動かすことができる。また、上下に連結されている１組のパズルピースＤ，Ｄに対して上下に連結されている１組のパズルピースＣ，Ｃを、図１８(b)の実線で示すように動かすことができ、動かしたこの１組のパズルピースＣ，Ｃに対して上下に連結されている次の１組のパズルピースＤ，Ｄを、１８(b)の実線で示すように、あるいは、１８(b)の鎖線で示すようにさらに動かすことができる。
【００４４】
また、上下に連結されている１組のパズルピースＤ，Ｄに対して上下に連結されている１組のパズルピースＣ，Ｃを、図１８(c)の実線で示すように動かすことができ、動かしたこの１組のパズルピースＣ，Ｃに対して上下に連結されている次の１組のパズルピースＤ，Ｄを、１８(c)の実線で示すように、あるいは、１８(c)の鎖線で示すようにさらに動かすことができる。
【００４５】
さらに、図１８(d)の実線で示すように、上下に連結されている１組のパズルピースＤ，Ｄの真上に上下に連結されている１組のパズルピースＣ，Ｃを動かすことができ、動かしたこの１組のパズルピースＣ，Ｃに対して上下に連結されている次の１組のパズルピースＤ，Ｄを、１８(d)の鎖線で示すようにさらに動かすことができる。
【００４６】
図１５には、上下に連結させるべきパズルピースＣの形状を平面円形にした場合を例示するが、その形状は自由に変更できる。例えば、図１９(a)においてＥで示すように正方形にしたり、図１９(b)においてＦで示すように八角形にしたり、図１９(c)においてＧで示すように図１９(b)とは異なる八角形にすることができる。
そして、これらのパズルピースの形状に応じて、連接すべきパズルピースについても、接合すべき部分の形状を異ならしめる。例えば、図１９(b)に示す八角形のパズルピースＦと連接するパズルピースについては、図２０においてＨで示すような形状にするとよい。
【００４７】
ここまで例示して来た立体式パズルは比較的平坦なパズルピースを対象としているが、連結されているパズルピースを垂直方向に組み合わせてさらに立体的なものとしたり、水平方向にも連接してより立体的なものにして行ってもよい。
例えば、図２１(a)、(b)に示すように、連結されているパズルピースＩ，ＩやＪ，Ｊをさらに上下方向に連結して１組のパズルピースとしたり、図２１(c)においてＫで示すパズルピースを横方向に交互に連接して１組のパズルピースとすることができる。
【００４８】
また、図２１(d)に示すように、半球状のパズルピースＬ，Ｌを上下に連結して球状のパズルピースとしたり、図２１(e)に示すように、連結されている四半球状のパズルピースＭ，Ｍを上下に連結して球状のパズルピースとしたり、図２１(f)に示すように、図２１(d)に示すパズルピースをさらに連結したり、図２１(g)に示すように、連結されている半球状のパズルピースＮと円柱状のパズルピースＯと組み合わせることもできる。
【００４９】
このように、本発明による立体的パズルによれば、連結されているパズルピースを凹凸嵌合により順次連接して行くものであるから、連結されているパズルピースを用いて様々なパズルに組み立てて行くことができ、組み立てて行く面白さが増す。
【００５０】
各パズルピースの形は上に例示した場合に限定されるものではなく、自由である。幾何学的な形状とすることもできるし、比較的簡単な形状のものとすることもできる。また、パズルピース相互の凹凸嵌合の回転中心位置や連結部材の連結位置を異ならしめることにより、様々なパズルに組み立てて行くことができる。
【００５１】
また、各パズルピースの材質については、段ボール製、木製、ウレタン製、合成樹脂製等様々な材質からなるものとすることができる。各パズルピースの形態に応じてその材質を決定すればよい。各パズルピースを透明としたり、着色したり、個々のピースをカラフルなものとすることもできる。また、各パズルピースには各種の模様や印刷を施すこともできる。
【００５２】
前記押え片20、差込片21、差込片22、延長パーツ24〜27、固定ホルダ28、摺動リング29、結合リング30、固定ホルダ31、摺動リング32、バネ保持部材34、係止ピン36、ジョイント３９、固定ピン41はいずれも合成樹脂製とすることができるが、その材質は特に限定されるものではない。また、伸縮バネ33、Ｏリング40はシリコンゴム等弾力性を有する材質からなるものとするのが最適であるが、その材質は特に限定されるものではない。前記引張バネ35は金属製としてもよいし、シリコンゴム等弾力性を有する材質からなるものとしてもよい。
【図面の簡単な説明】
【００５３】
【図１】本発明の立体式パズルの一例を示す平面図で、連結されているパズルピースを凹凸嵌合する前の状態で示す。
【図２】図１に示すパズルピースの全てを凹凸嵌合により連接した状態を示す平面図である。
【図３】図１、図２に示す場合と同様の立体式パズルの一例を示す平面図で、上下に連結されているパズルピースのうち上側に位置する１つのパズルピースを、下側に位置する１つのパズルピースから分離した状態で示す。
【図４】図１〜図３に示す立体式パズルの変形例を示す平面図で、円形状の場合を示す。
【図５】上下に連結されているパズルピースのうちの少なくとも１つを、他のパズルピースに対して平面的に回動させ得るようにした場合を例示するもので、(a)はパズルピースの全てを凹凸嵌合により連接した状態を示す斜視図、(b)は上下に連結されているパズルピースのうち上側の２つのパズルピースを回動させた状態を示す平面図である。
【図６】上下に連結されているパズルピースがいずれも正方形であって、上側に位置するパズルピースと下側に位置するパズルピースに凹凸を形成してそれらを凹凸嵌合させ得るようにした場合を例示する斜視図で、上下に連結されている１つのパズルピースを分離した状態で示す。
【図７】上下に連結されているパズルピースの一部が他の部分の半分の厚さになっていて連接すべきパズルピースの半分の厚さの部分の上に凹凸嵌合により重なり合う形式の立体式パズルを例示する斜視図で、上下に連結されている３つのパズルピースを分離した状態で示す。
【図８】上下に連結されているパズルピースが上下４層となるように重ね合わせた場合を例示する斜視図で、上下に連結されている３つのパズルピースを分離した状態で示す。
【図９】上側に位置するパズルピースと下側に位置するパズルピースとを連結するためのジョイントの一例を示すもので、(a)〜(e)はその構成部品を示す平面図、(e)〜(g)はこのジョイントを用いて上下３枚のパズルピースを連結する手順を示す平面図ないし断面図である。
【図１０】さらに多数のパズルピースを上下に連結する場合に用いるジョイントの延長パーツを示す平面図である。
【図１１】上下に連結されているパズルピースを、相手側のパズルピースに対して平面的に回動させ得るようにするためのジョイントの一例を示すもので、(a)〜(c)はその構成部品を示す平面図、(d)〜(f)はこのジョイントを埋め込むことによってパズルピースを上下に連結した場合の一例を示す断面図である。
【図１２】図１１に示すジョイントとは異なる別のジョイントの一例を示すもので、(a)〜(c)はその構成部品を示す平面図、(d)はこのジョイントを埋め込むことによってパズルピースを上下に連結した場合の一例を示す断面図、(e)は上下に連結されているパズルピースのうち最も上側に位置する１つのパズルピースを、他の２つのパズルピースから持ち上げた状態を示す断面図である。
【図１３】図１２に示すジョイントを埋め込むことによってパズルピースを上下に連結した場合の一例を示す断面図で、(a)は２つのパズルピースを上下に連結した状態を、(b)は４つのパズルピースを上下に連結した状態を示す。
【図１４】図１２(a)〜(c)に示す固定ホルダ、摺動リング、伸縮バネとそれ以外の部品とからなるさらに別のジョイントの一例を示すもので、(d)にはバネ保持部材を、(e)にはコイル状の引張バネを、(f)には係止ピンをそれぞれ示し、さらに、(g)はこのジョイントを埋め込むことによってパズルピースを上下に連結した場合の一例を示す断面図、(h)は上下に連結されているパズルピースのうち最も上側に位置する１つのパズルピースを、他の２つのパズルピースから持ち上げた状態を示す断面図である。
【図１５】上下に連結されているパズルピースと、上下に連結されているパズルピースを凹凸嵌合により順次連接して行くためのジョイントと、それらの付属部品とからなる立体式パズルの一例を示すもので、(a)は略鉄亜鈴形のジョイントを、(b)はその変形例を、(c)は付属部品であるＯリングを、(d)は固定ピンを、(e)は上下に連結すべきパズルピースの一例を、(f)はこのパズルピースを上下に接合した状態を、(g)は上下に連結すべきパズルピースのうちの一方の内面にダボが形成されている状態を、(h)は上下に接合したパズルピースをＯリングと固定ピンで上下に連結した状態を、(i)は上下に連結されているパズルピースの環状の溝内に一端を嵌入した鉄亜鈴形のジョイントが水平状から垂直状に起こしたり倒したりすることができる様子を、(j)は上下に連結されているパズルピースの２組を上下方向に連接した状態を、(k)は上下に連結されているパズルピースの２組を左右方向に連接した状態を、(l)は上下に連結されているパズルピースの一方を、相手側に対して回転させ、ダボを相手側の溝から外した状態を示す。
【図１６】上下に連結すべきパズルピースの他の一例を示す図で、(a)は平面図、(b)は正面図、(c)は(a)、(b)に示すパズルピースを上下に抱き合わせ、その環状の溝内の鉄亜鈴形のジョイントの一端を嵌入した状態を示す断面図、(d)は図１５(c)と図１５(d)に示すＯリングと固定ピンを用いて上下に接合したパズルピースを上下に連結した状態を示す断面図である。
【図１７】上下に連結されている図１５(e)、(f)のパズルピースと上下に連結されている図１６(d)に示すパズルピースにより、立体式のパズルを組み立てた状態を示す平面図である。
【図１８】上下に連結されている１組のパズルピースと上下に連結されている他の１組のパズルピースのいずれかを相手側のパズルピースに対して動かすことができる一例を示す図で、(a)、(d)は平面図、(b)、(c)は側面図である。
【図１９】上下に連結させるべきパズルピースを平面円形以外にすることができることを説明するための平面図で、(a)は上下に連結させるべきパズルピースを正方形にした場合を、(b)は上下に連結させるべきパズルピースを八角形にした場合を、(c)は上下に連結させるべきパズルピースを（ｂ）とは異なる八角形にした場合を示す。
【図２０】図１９(b)に示す八角形のパズルピースと、このパズルピースに連接するパズルピースの組み合わせ状態を示す平面図である。
【図２１】連結されているパズルピースを垂直方向に組み合わせてさらに立体的なものとしたり、水平方向にも連接してより立体的なものにできることを説明するための斜視図で、(a)、(b)は連結されているパズルピースをさらに上下方向に連結して１組のパズルピースとした状態を、(c)は上下に連結されているパズルピースを横方向に交互に連接して１組のパズルピースとした状態を、(d)は半球状のパズルピースを上下に連結して球状のパズルピースとした状態を、(e)は連結されている四半球状のパズルピースを上下に連結して球状のパズルピースとした状態を、(f)は(d)に示すパズルピースをさらに連結した状態を、(g)は連結されている半球状のパズルピースと円柱状のパズルピースと組み合わせた状態を示す。
【符号の説明】
【００５４】
１〜７，1a〜7a，1b〜7b，8a，9a，10，11，10a，10b，11a，11b，13〜16，13a〜16a，13b〜16b，17a〜17f，18，19，18a〜18d，19a〜19d，Ａ〜Ｏ…パズルピース、12…軸ピン、20…押え片、20a…嵌込孔、21，22…差込片、28…固定ホルダ、29…摺動リング、30…結合リング、31…固定ホルダ、32…摺動リング、33…伸縮バネ、３４…バネ保持部材、35…引張バネ、36…係止ピン、38…環状の溝、39…ジョイント、40…Ｏリング、41…固定ピン、43…切欠、44…環状の溝。
【図１】
2008253423.tif 000003
【図２】
2008253423.tif 000004
【図５】
2008253423.tif 000005
【図６】
2008253423.tif 000006
【図７】
2008253423.tif 000007
【図８】
2008253423.tif 000008
【図９】
2008253423.tif 000009
【図１０】
2008253423.tif 000010
【図１１】
2008253423.tif 000011
【図１２】
2008253423.tif 000012
【図１３】
2008253423.tif 000013
【図１４】
2008253423.tif 000014
【図１５】
2008253423.tif 000015
【図１６】
2008253423.tif 000016
【図１７】
2008253423.tif 000017
【図１８】
2008253423.tif 000018
【図１９】
2008253423.tif 000019
【図２０】
2008253423.tif 000020
【図２１】
2008253423.tif 000021
【図３】
2008253423.tif 000022
【図４】
2008253423.tif 000023